(57)【要約】【課題】コード変換時の操作性を向上させることができると同時に安全性を確保する。【解決手段】本発明のコード可変型シリンダー錠において、外筒の前面開口部１１ａは、半径方向外側に凹状に形成された施錠位置開口縁部１１Ａと、半径方向外側に凹状に形成された変換位置開口縁部１１Ｂと、前記施錠位置開口縁部と前記変換位置開口縁部の間において回動方向に沿って伸びる第１回動縁部１１Ｃと、前記変換位置開口縁部から前記第１回動縁部とは反対側に回動方向に沿って伸びる第２回動縁部１１Ｄとを有し、前記施錠位置開口縁部の半径方向と回動方向のうち少なくとも一方向の開口範囲が前記変換位置開口縁部の前記少なくとも一方向の開口範囲より大きいとともに、前記第１回動縁部が前記第２回動縁部より半径方向外側に位置することを特徴とする。【選択図】図４
2009299269.tif 000002
【特許請求の範囲】
【請求項１】
前面開口部を備えた外筒と、該外筒の内部に回転可能に配置され、前記前面開口部を通してキーが挿入されるキー挿入孔及びタンブラー孔を備えた内筒と、該内筒の前記タンブラー孔内において動作可能に配置され、前記キー挿入孔に臨むキー係合部を備えるとともに、該キー係合部の位置が前記解錠コードに合致した場合にのみ前記外筒に対する前記内筒の回転を許容するタンブラーと、前記外筒に対して前記内筒がコード変換位置にある場合に前記キー係合部の位置に応じて前記解錠コードを変更可能に構成するコード変換機構と、を具備するコード可変型シリンダー錠において、
前記前面開口部は、半径方向外側に凹状に形成された施錠位置開口縁部と、半径方向外側に凹状に形成された変換位置開口縁部と、前記施錠位置開口縁部と前記変換位置開口縁部の間において回動方向に沿って伸びる第１回動縁部と、前記変換位置開口縁部から前記第１回動縁部とは反対側に回動方向に沿って伸びる第２回動縁部とを有し、
前記施錠位置開口縁部の半径方向と回動方向のうち少なくとも一方向の開口範囲が前記変換位置開口縁部の前記少なくとも一方向の開口範囲より大きいとともに、前記第１回動縁部が前記第２回動縁部より半径方向外側に位置することを特徴とするコード可変型シリンダー錠。
【請求項２】
前記施錠位置開口縁部の回動方向の開口範囲が前記変換位置開口縁部の回動方向の開口範囲よりも大きいことを特徴とする請求項１に記載のコード可変型シリンダー錠。
【請求項３】
前記変換位置開口縁部の開口範囲が前記施錠位置開口縁部と比べて回動方向に偏在していることを特徴とする請求項１又は２に記載のコード可変型シリンダー錠。
【請求項４】
解錠コードに対応するコード対応部及び運用キー識別部を備えた運用キーと、前記解錠コードに対応するコード対応部及び前記運用キーと異なる形状を有する変換キー識別部を備えた変換キーと、前記運用キー及び前記変換キーの双方を適用可能とするシリンダー錠とを具備し、
前記シリンダー錠は、前記運用キー及び前記変換キーの正規挿入状態で前記運用キー識別部及び前記変換キー識別部に対向する軸線方向の位置に前面開口部を備えた外筒と、該外筒の内部に回転可能に配置され、前記前面開口部を通してキーが挿入されるキー挿入孔及びタンブラー孔を備えた内筒と、該内筒の前記タンブラー孔内において動作可能に配置され、前記キー挿入孔に臨むキー係合部を備えるとともに、該キー係合部の位置が前記解錠コードに合致した場合にのみ前記外筒に対する前記内筒の回転を許容するタンブラーと、前記外筒に対して前記内筒がコード変換位置にある場合に前記キー係合部の位置に応じて前記解錠コードを変更可能に構成するコード変換機構と、を有し、
前記前面開口部は、施錠位置において前記運用キー識別部及び前記変換キー識別部の軸線方向の通過を共に許容する施錠位置開口縁部と、前記コード変換位置において前記運用キー識別部に対して軸線方向に干渉するとともに前記変換キー識別部に対して軸線方向の通過を許容する変換位置開口縁部と、前記施錠位置開口縁部と前記変換位置開口縁部との間に形成され、前記施錠位置と前記コード変換位置との間における前記運用キー識別部及び前記変換キー識別部の回動を許容する第１回動縁部と、前記変換位置開口縁部の前記第１回動縁部とは反対側に形成され、前記コード変換位置と解錠位置との間における前記運用キー識別部の回動を許容するとともに、前記コード変換位置において前記変換キー識別部に対して前記解錠位置の側から回動方向に干渉する第２回動縁部と、を有することを特徴とするコード変換キーシステム。
【請求項５】
前記運用キー識別部及び前記変換キー識別部は、それぞれ、前記正規挿入状態において前記前面開口部より軸線方向奥側に配置される軸線方向係合部位と、前記正規挿入状態において前記前面開口部と重複する軸線方向位置に配置される回動方向係合部位とを有し、
前記運用キー識別部と前記変換キー識別部は、前記軸線方向係合部位の形状差により前記変換位置開口縁部に対する軸線方向の干渉の有無が定められ、前記回動方向係合部位の形状差により前記第２回動縁部に対する回動方向の干渉の有無が定められることを特徴とする請求項４に記載のコード変換キーシステム。
【請求項６】
前記変換位置開口縁部は、前記コード変換位置にある前記運用キーの前記運用キー識別部に対し回動方向に偏在した開口範囲を有することを特徴とする請求項４又は５に記載のコード変換キーシステム。
【発明の詳細な説明】
【技術分野】
【０００１】
本発明はコード可変型シリンダー錠コード変換キーシステムに係り、特に、運用キーと変換キーを有し、変換キーにより解錠コードを変換できるように構成したシリンダー錠を備えたキーシステムの構造に関する。
【背景技術】
【０００２】
一般に、前面開口部を備えた外筒と、該外筒の内部に回転可能に配置され、前記前面開口部を通してキーが挿入されるキー挿入孔及びタンブラー孔を備えた内筒と、該内筒の前記タンブラー孔内において動作可能に配置され、前記キー挿入孔に臨むキー係合部を備えるとともに、該キー係合部の位置が前記解錠コードに合致した場合にのみ前記外筒に対する前記内筒の回転を許容するタンブラーと、前記外筒に対して前記内筒がコード変換位置にある場合に前記キー係合部の位置に応じて前記解錠コードを変更可能に構成するコード変換機構と、を有するコード可変型シリンダー錠が知られている。
【０００３】
この種のシリンダー錠は、施錠状態において運用キーを外筒の前面開口部を通してキー挿入孔に挿入すると、運用キーがシリンダー錠の解錠コードに合致している場合には、運用キーとキー係合部が係合することによりタンブラーが外筒に対する内筒の回動を許容するので、キーを操作して内筒を解錠位置まで回動させることで解錠状態にすることができる。
【０００４】
また、上記シリンダー錠のコード変換機構としては、例えば以下の特許文献１に記載されているように、コード変換位置を施錠位置から解錠位置までの通常回動範囲から外れた角度位置に設定しておき、当該通常回動範囲内では運用キーを回動させることができるがコード変換位置まで回動させることはできないようにするとともに、シリンダー錠の後部等に設けられたリセットレバー等を操作することにより運用キーをコード変換位置まで回動可能となるように構成したものがある。この場合、コード変換位置で運用キーを引抜いて新たなキーを挿入して元の施錠位置まで戻すことで、シリンダー錠の解錠コードが新たなキーのコードに変換される。
【０００５】
一方、以下の特許文献２乃至４に記載されているように、運用キーと変換キー（運用キーに変換用アダプタを装着する場合も含む。）を用意しておき、運用キーではコード変換位置でキーの抜き差しができないように構成するが、変換キーではコード変換位置でキーの抜き差しができるように構成し、変換キーでのみ解錠コードの変換が可能となるように構成したシリンダー錠も知られている。なお、特許文献４に記載のシリンダー錠は、タンブラーピンがキーの挿入方向と平行に設定された軸方向ピンタンブラー錠である。
【特許文献１】特開２００５−２３２８００号公報
【特許文献２】特開２００７−２７７９７３号公報
【特許文献３】特開２００７−３０３１９２号公報
【特許文献４】特開２００４−３３２３０９号公報
【発明の開示】
【発明が解決しようとする課題】
【０００６】
しかしながら、前述のリセットレバーの操作によりコード変換を可能とするシリンダー錠（特許文献１）では、運用キーのみで解錠コードの変換ができるという利点があるものの、解錠コードを変換する際にはシリンダー錠の特殊な部位にあるリセットレバーを操作する必要があるとともに、また、不正なコード変換を防止するために解錠状態でないとリセットレバーを操作できないように構成することが多いので、コード変換時の作業性が悪いという問題点がある。
【０００７】
一方、通常の運用キーとは異なる変換キーを用いる方法（特許文献２及び３）では、外筒の前面部（保護キャップ４０）にコード変換位置で変換キーの抜き差しを可能とするためのボール保持孔４６がそのまま開口しているため、このボール保持孔４６に対する操作等により不正なコード変換がなされる危険性があるなど、安全性が必ずしも確保されないという問題点がある。
【０００８】
さらに、運用キーと変換キーを用いる軸方向ピンタンブラー錠（特許文献４）では、キーの抜き差しを行う際に、新旧の変換キーの位置決め部２７をそれぞれシリンダー錠に設けられた指標部２６と目視で整合させてコード変換位置に合わせる必要があるので、コード変換時の操作が難しいという問題点がある。
【０００９】
なお、特許文献４に記載の軸方向ピンタンブラー錠では、キー自体は本来的に任意の角度位置で錠に対し抜き差しができる構造を備えているため、運用キーに前面開口の開口縁の施錠位置に設けられた凹溝に対応する突起を設け、この突起が施錠位置以外では開口縁に係合することでコード変更位置を含む施錠位置以外の位置でキーの抜き差しを防止している。しかし、運用キーと変換キーの相違が開口縁形状の凹溝を通過する突起の有無に過ぎないので、運用キーから突起を除去することで容易にコード変換が可能になることから、不正なコード変換に対する安全性に乏しいという問題がある。
【００１０】
そこで、本発明は上記従来のキー及びシリンダー錠を改善することで、コード変換時の操作性を向上させることができると同時に安全性を確保できるコード可変型シリンダー錠及びコード変換キーシステムを提供することにある。
【課題を解決するための手段】
【００１１】
斯かる実情に鑑み、本発明のコード可変型シリンダー錠は、前面開口部を備えた外筒と、該外筒の内部に回転可能に配置され、前記前面開口部を通してキーが挿入されるキー挿入孔及びタンブラー孔を備えた内筒と、該内筒の前記タンブラー孔内において動作可能に配置され、前記キー挿入孔に臨むキー係合部を備えるとともに、該キー係合部の位置が前記解錠コードに合致した場合にのみ前記外筒に対する前記内筒の回転を許容するタンブラーと、前記外筒に対して前記内筒がコード変換位置にある場合に前記キー係合部の位置に応じて前記解錠コードを変更可能に構成するコード変換機構と、を具備するコード可変型シリンダー錠において、前記前面開口部は、半径方向外側に凹状に形成された施錠位置開口縁部と、半径方向外側に凹状に形成された変換位置開口縁部と、前記施錠位置開口縁部と前記変換位置開口縁部の間において回動方向に沿って伸びる第１回動縁部と、前記変換位置開口縁部から前記第１回動縁部とは反対側に回動方向に沿って伸びる第２回動縁部とを有し、前記施錠位置開口縁部の半径方向と回動方向のうち少なくとも一方向の開口範囲が前記変換位置開口縁部の前記少なくとも一方向の開口範囲より大きいとともに、前記第１回動縁部が前記第２回動縁部より半径方向外側に位置することを特徴とする。
【００１２】
この発明によれば、施錠位置開口縁部の半径方向と回動方向のうち少なくとも一方向の開口範囲が変換位置開口縁部の上記少なくとも一方向の開口範囲より大きいことにより、正規挿入状態で前面開口部の開口縁より軸線方向奥側に位置する部分の断面形状を変えることで、施錠位置とコード変換位置の双方で抜き差しが可能になる変換キーを形成しつつ、施錠位置では抜き差しが可能になるがコード変換位置では抜き差しができない運用キーを形成することが可能になるとともに、第１回動縁部が第２回動縁部より半径方向外側に位置することにより、正規挿入状態で前面開口部の開口縁と軸線方向に見て重なる部分の端部の半径方向位置を変えることで施錠位置から解錠位置まで回動可能となる運用キーを形成しつつ、施錠位置からコード変換位置までは回動可能であるがコード変換位置で第２回動縁部により位置決めされ、それ以上回動させることができない変換キーを形成することが可能になる。
【００１３】
したがって、本発明では、運用キーでのコード変換ができないとともに、変換キーではコード変換位置にて回動が停止されるためにコード変換時の操作がきわめて容易になる。また、各キーの識別部が軸線方向の通過の可否と回動範囲制限の有無の双方に対応するように形成されるので、運用キー識別部の形状から変換キー識別部の形状を予測しにくくなることから、キーの改造による不正なコード変換を防止することが可能になる。
【００１４】
本発明の一の態様においては、前記施錠位置開口縁部の回動方向の開口範囲が前記変換位置開口縁部の回動方向の開口範囲よりも大きい。これによれば、両開口縁部の回動方向の開口範囲を変えることで、これに対応する運用キー及び変換キーを形成しても、キー構造と変換位置でのキーの抜き差しの可否との関係を読み取られにくくできるとともに、キーの不正改造を困難にすることができる。
【００１５】
本発明の他の態様においては、前記変換位置開口縁部の開口範囲が前記施錠位置開口縁部と比べて回動方向に偏在している。これによれば、両開口縁部の回動方向の開口範囲を変えることで、これに対応する運用キー及び変換キーを形成しても、キー構造と変換位置でのキーの抜き差しの可否との関係を読み取られにくくできるとともに、キーの不正改造を困難にすることができる。
【００１６】
次に、本発明のコード変換キーシステムは、解錠コードに対応するコード対応部及び運用キー識別部を備えた運用キーと、前記解錠コードに対応するコード対応部及び前記運用キーと異なる形状を有する変換キー識別部を備えた変換キーと、前記運用キー及び前記変換キーの双方を適用可能とするシリンダー錠とを具備し、前記シリンダー錠は、前記運用キー及び前記変換キーの正規挿入状態で前記運用キー識別部及び前記変換キー識別部に対向する前面開口部を備えた外筒と、該外筒の内部に回転可能に配置され、前記前面開口部を通してキーが挿入されるキー挿入孔及びタンブラー孔を備えた内筒と、該内筒の前記タンブラー孔内において動作可能に配置され、前記キー挿入孔に臨むキー係合部を備えるとともに、該キー係合部の位置が前記解錠コードに合致した場合にのみ前記外筒に対する前記内筒の回転を許容するタンブラーと、前記外筒に対して前記内筒がコード変換位置にある場合に前記キー係合部の位置に応じて前記解錠コードを変更可能に構成するコード変換機構と、前記運用キー及び前記変換キーが正規挿入状態にないときに前記外筒に対する前記内筒の回動を禁止するキー確認機構と、を有し、前記前面開口部は、前記外筒に対して前記内筒が施錠位置にある場合に前記運用キー識別部及び前記変換キー識別部の軸線方向の通過を共に許容する施錠位置開口縁部と、前記外筒に対して前記内筒が前記コード変換位置にある場合に前記運用キー識別部の軸線方向の通過に干渉するとともに前記変換キー識別部の軸線方向の通過を許容する変換位置開口縁部と、前記施錠位置開口縁部と前記変換位置開口縁部との間に形成され、前記施錠位置から前記コード変換位置まで前記運用キー識別部及び前記変換キー識別部の回動を許容する第１回動縁部と、前記変換位置開口縁部の先に形成され、前記コード変換位置から前記外筒に対する前記内筒の解錠位置まで前記運用キー識別部の回動を許容するとともに、前記コード変換位置において前記変換キー識別部の前記解錠位置の側への回動に干渉する第２回動縁部と、を有することを特徴とする。
【００１７】
本発明によれば、施錠位置では、運用キー及び変換キーの各識別部がいずれも前面開口部の施錠位置開口縁部を軸線方向に通過できるため、いずれのキーも施錠位置では抜き差し可能とされる。また、コード変換位置では、運用キー識別部が変換位置開口縁部に軸線方向に干渉されることで運用キーの抜き差しが防止されるが、変換キー識別部が変換位置開口縁部を軸線方向に通過できるため、変換キーの抜き差しは可能になる。さらに、運用キー識別部が第１回動縁部及び第２回動縁部に干渉されないため、運用キーは施錠位置から解錠位置まで回動可能であるのに対し、変換キー識別部が第１回動縁部には干渉されないが第２回動縁部には干渉されるため、変換キーは施錠位置からコード変換位置までは回動可能であるが、第２回動縁部によりコード変換位置で停止される。
【００１８】
したがって、本発明では、運用キーでのコード変換ができないとともに、変換キーではコード変換位置にて回動が停止されるためにコード変換時の操作がきわめて容易になる。また、各キーの識別部が軸線方向の通過の可否と回動範囲制限の有無の双方に対応するように形成されるので、運用キー識別部の形状から変換キー識別部の形状を予測しにくくなることから、キーの改造による不正なコード変換を防止することが可能になる。
【００１９】
本発明の一の態様においては、前記運用キー識別部及び前記変換キー識別部は、それぞれ、前記正規挿入状態において前記前面開口部より軸線方向奥側に配置される軸線方向係合部位と、前記正規挿入状態において前記前面開口部と重複する軸線方向位置に配置される回動方向係合部位とを有し、前記運用キー識別部と前記変換キー識別部は、前記軸線方向係合部位の形状差により前記変換位置開口縁部に対する軸線方向の干渉の有無が定められ、前記回動方向係合部位の形状差により前記第２回動縁部に対する回動方向の干渉の有無が定められる。これによれば、外筒の前面開口部の開口縁に作用する各キーの識別部が軸線方向係合部位と回動方向係合部位とに分けて形成されることで、各キーの軸線方向の通過の可否を決定する部分と回動方向の回動の可否を決定する部分とを別々に独立して設定することができるため、それぞれの部分の機能・作用を確実に実現できる。また、軸線方向係合部位が前面開口部の開口縁より軸線方向の奥側に位置するように形成されることで、前面開口部の開口形状を厚み方向に変える必要がなくなるため前面開口部を簡易に構成可能となる。
【００２０】
本発明の他の態様においては、前記変換位置開口縁部は、前記コード変換位置にある前記運用キーの前記運用キー識別部に対し回動方向に偏在した開口範囲を有する。変換位置開口縁部が運用キー識別部の軸線方向の通過に干渉する構造としては、当該運用キー識別部の外縁部を変換位置開口縁部より半径方向外側に突出させる方法が考えられるが、この構造では、変換位置開口縁部を施錠位置開口縁部と対比することで半径方向の位置の相違が容易に発見され、不正改造も運用キー識別部の半径方向端部を削ることで容易に行うことができるため、安全性に劣る。一方、本態様のように変換位置開口縁部が運用キー識別部に対して回動方向に偏在した開口範囲を有するものとすることで、元々回動方向に離間して設けられた施錠位置開口縁部との対比が困難になり、また、運用キー識別部に対する回動方向の偏在の有無も発見しにくくなる。さらに、不正改造に際しても運用キー識別部の側面を削る必要があるので、半径方向の端部を削る場合よりも困難になる。
【００２１】
なお、前記シリンダー錠は、前記運用キー及び前記変換キーが正規挿入状態にないときに前記外筒に対する前記内筒の回動を禁止するキー確認機構をさらに有することが好ましい。
【発明の効果】
【００２２】
本発明によれば、コード可変型シリンダー錠及びコード変換キーシステムにおいて、コード変換時の操作性を向上させることができると同時に安全性を担保できるという優れた効果を奏し得る。
【発明を実施するための最良の形態】
【００２３】
以下、本発明の実施の形態を図示例と共に説明する。図１は本発明に係るコード可変型シリンダー錠及びコード変換キーシステムの実施形態を構成するシリンダー錠１０の分解斜視図、図２は当該シリンダー錠１０を用いてキースイッチを構成してなる製品の組立状態を示す外観図である。図３は上記シリンダー錠１０の一部断面図であり、図３中の一点鎖線より上の部分が外面形状を示し、同一点鎖線より下の部分は断面形状を示す。
【００２４】
図１に示すように、シリンダー錠１０は、前面開口部１１ａ、及び、この前面開口部１１ａの内側に形成された内部１１ｂを備えた外筒１１と、この外筒１１の内部１１ｂ内に挿入配置され、軸線周りに回動可能に収容される内筒１２とを具備する。図３に示すように、外筒１１に対して後方から内筒１２が挿入され、内筒１２の突出した前端部が外筒１１の前面開口部１１ａに嵌合した状態で、外筒１１の後部の内周面に形成された環状溝に止め輪１１ｃを嵌合させることで、内筒１２を外筒１１の内部１２ｂ内に保持している。
【００２５】
内筒１２には、前面開口部１１ａを通してキーが挿入されるキー挿入孔１２ａが軸線方向に形成され、また、軸線と交差（直交）する方向に穿設され、軸線方向に配列された複数のタンブラー孔１２ｂ及び確認タンブラー孔１２ｃを備えている。これらのタンブラー孔１２ｂ及び確認タンブラー孔１２ｃは上記キー挿入孔１２ａと連通している。内筒１２の両側部には、外部と上記タンブラー孔１２ｂを連通させる形状で、軸線方向に伸びる一対のスリット１２ｄ、１２ｅが設けられ、ここに軸線方向に延長された形状の開閉用サイドバー１３及びコード変換用サイドバー１４が収容される。開閉用サイドバー１３及びコード変換用サイドバー１４は、それらの軸線方向両端部が内筒１２に対してばね１５によって半径方向外側（外筒１１の内周面側）に常時付勢される。内筒１２の後部には、後述するスイッチモジュール１９と嵌合してスイッチモジュール１９を駆動させる駆動部１２ｆが突設される。この駆動部１２ｆはスイッチモジュール１９に限らず、各種のロック機構など任意の機構に接続可能である。
【００２６】
タンブラー孔１２ｂにはタンブラー１６が収容され、タンブラー１６はタンブラー孔１２ｂ内で軸線と直交する方向にスライド自在に配置されるとともに、後述するサイドバーに対する係合・離脱動作及び一方のサイドバーに対する嵌合箇所を中心とする回動動作も可能とされる。また、確認タンブラー孔１２ｃには確認タンブラー１７が収容され、確認タンブラー１７は確認タンブラー孔１２ｃ内で軸線と直交する方向に移動自在に配置され、その上端部に形成された係合突起１７ｂが内筒１２の外周面より出没可能に構成されている。ばね１８は確認タンブラー１７を常時、係合突起１７ｂが突出する方向に付勢する。
【００２７】
また、図２に示すように、外筒１１の後部には上記駆動部１２ｆと嵌合するスイッチモジュール１９が装着され、このスイッチモジュール１９には後方に突出する端子１９ａ，１９ｂが設けられている。このスイッチモジュール１９は、上記シリンダー錠の施錠状態と解錠状態に対応してスイッチのオンオフの切替機能を有し、端子１９ａと１９ｂの非導通状態と導通状態を切替可能とする。なお、図２には、シリンダー錠１０に運用キーＮＫが前面開口部１１ａを通して上記キー挿入孔１２ａに正規に挿入された状態を示してある。
【００２８】
図４はシリンダー錠１０の前面図である。前面開口部１１ａの周囲の開口縁には、半径方向外側に凹状に切り込まれた施錠位置開口縁部１１Ａと、この施錠位置開口縁部１１Ａに対し回動方向一側（図示時計回り方向）に離間して形成され、半径方向外側に凹状に切り込まれた変換位置開口縁部１１Ｂとを有し、施錠位置開口縁部１１Ａと変換位置開口縁部１１Ｂの間には軸線周りの一定の半径方向位置に沿って円弧状に伸びる第１回動縁部１１Ｃが設けられ、また、変換位置開口縁部１１Ｂの第１回動縁部１１Ｃとは反対側（図示時計回り方向）には、第１回動縁部１１Ｃより半径方向内側の一定の半径方向位置に沿って円弧状に伸びる第２回動縁部１１Ｄが設けられる。
【００２９】
なお、本実施形態では、後述する運用キーＮＫ及び変換キーＣＫはリバーシブル（表裏反転状態でも適用可能）であり、したがって、前面開口部１１ａに設けられた上記開口縁形状も、キーに対応して軸線周りに１８０度の回転対称性を有する形状となり、したがって、上記施錠位置開口縁部１１Ａ、第１回動縁部１１Ｃ、変換位置開口縁部１１Ｂ、第２回動縁部１１Ｄは軸線周りに１８０度回転した位置にも形成されている。
【００３０】
なお、本明細書において、図４に示すようにキー挿入孔１２ａが施錠位置開口縁部１１Ａに対応した姿勢となるときの外筒１１に対する内筒１２の回転角度位置を施錠位置ＰＡといい、キー挿入孔１２ａが変換位置開口縁部１１Ｂに対応した姿勢となるときの外筒１１に対する内筒１２の回転角度位置をコード変換位置ＰＢといい、キー挿入孔１２ａが解錠される状態に対応した姿勢となるときの外筒１１に対する内筒１２の回転角度位置を解錠位置ＰＣということとする。本実施形態では、施錠位置ＰＡと解錠位置ＰＣとの間にコード変換位置ＰＢが設定される。特に限定されるものではないが、図示例の場合、施錠位置ＰＡと解錠位置ＰＣ間の角度は９０度、施錠位置ＰＡとコード変換位置ＰＢ間の角度は４５度である。
【００３１】
施錠位置開口縁部１１Ａは、半径方向に沿って半径方向外側に伸びる縦縁部１１Ａ１と、この縦縁部１１Ａ１の半径方向外側の端部に接続し、軸線周りの回動方向に沿って伸びる横縁部１１Ａ２と、この横縁部１１Ａ２の時計回り側の端部に接続し、半径方向に沿って半径方向内側に伸びる縦縁部１１Ａ３とによって施錠位置ＰＡと対応する角度において全体として凹状に構成される。このとき、施錠位置開口縁部１１Ａは、施錠位置ＰＡにおけるキー挿入孔１２ａと一致するかそれより余裕を持った開口幅（回動方向の開口範囲の幅、以下同様。）を有し、当該開口幅の中心位置は施錠位置ＰＡにおけるキー挿入孔１２ａの幅方向中心軸（図示一点鎖線）と一致するように設けられる。
【００３２】
また、変換位置開口縁部１１Ｂは、第１回動縁部１１Ｃの時計回り側の端部に接続し、半径方向に沿って半径方向外側に伸びる縦縁部１１Ｂ１と、この縦縁部１１Ｂ１の半径方向外側の端部に接続し、軸線周りの回動方向に沿って伸びる横縁部１１Ｂ２と、この横縁部１１Ｂ２の時計回り側の端部に接続し、半径方向に沿って半径方向内側に伸びる縦縁部１１Ｂ３とによって全体として凹状に構成される。このとき、変換位置開口縁部１１Ｂはキー挿入孔１２ａより小さな開口幅を有し、しかも、当該開口幅の中心位置はコード変換位置ＰＢにおけるキー挿入孔１２ａの幅方向中心に対して回動方向に偏在している。図示例では変換位置開口縁部１１Ｂの開口幅の中心は、コード変換位置ＰＢにおけるキー挿入孔１２ａの幅方向中心軸（図示一点鎖線）より時計回りの側にシフトした位置にある。
【００３３】
施錠位置開口縁部１１Ａと変換位置開口縁部１１Ｂとを比較すると、施錠位置開口縁部１１Ａの回動方向の開口範囲（開口幅）は変換位置開口縁部１１Ｂの回動方向の回動範囲（開口幅）より大きく、また、コード変換位置ＰＢにおける変換位置開口縁部１１Ｂの回動方向の開口範囲（開口幅）は、施錠位置ＰＡにおける施錠位置開口縁部１１Ａの回動方向の開口範囲（開口幅）と比べると、回動方向（図示例では時計回り側）に偏在している。ただし、後述するキー構造との関係でも述べるように、施錠位置開口縁部１１Ａの半径方向の開口範囲（開口径）を変換位置開口縁部１１Ｂの半径方向の開口範囲（開口径）より大きく構成してもよい。また、第１回動縁部１１Ｃの半径方向の縁部位置（開口径）は、第２回動縁部１１Ｄの半径方向の縁部位置（開口径）よりも大きい。
【００３４】
なお、外筒１１の前面部には、上記前面開口部１１ａの周囲位置に停止ピン１１ｆが嵌合固定され、この停止ピン１１ｆは図３に二点鎖線で示すように外筒１１の内部１１ｂに向けて軸線方向に突出している。一方、内筒１２の前面外周部には図５（ａ）乃至（ｃ）に示すように上記停止ピン１１ｆの先端を収容し、内筒１２の回動方向に円弧状に伸びる凹溝（図示例では半径方向外側に開放された片凹溝）１２ｇが設けられている。ここで、図５（ａ）に示すように内筒１２が施錠位置ＰＡにあるときに停止ピン１１ｆが凹溝１２ｇの一方の端部に配置され、図５（ｃ）に示すように内筒１２が解錠位置ＰＣにあるときに停止ピン１１ｇが凹溝１２ｇの他方の端部に配置される。したがって、この停止ピン１１ｆと凹溝１２ｇにより、内筒１２の回転角度範囲は停止ピン１１ｆが凹溝１２ｇ内に位置する範囲内、すなわち、上記施錠位置ＰＡから解錠位置ＰＣまでの範囲内に制限される。
【００３５】
図６（ａ）は、運用キーＮＫをシリンダー錠１０に正規に挿入した状態（以下、単に「正規挿入状態」という。）において、外筒１１の前面開口部１１ａと、この前面開口部１１ａの近傍に配置される運用キーＮＫの運用キー識別部Ｎの断面形状との関係を示す説明図、図６（ｂ）は、変換キーＣＫの正規挿入状態において、外筒１１の前面開口部１１ａと、この前面開口部１１ａの近傍に配置される変換キーＣＫの変換キー識別部Ｃの断面形状との関係を示す説明図、図７は運用キーＮＫの側面図及び一部端面図、図８は変換キーＣＫの側面図及び一部端面図である。
【００３６】
図７に示すように、運用キーＮＫは、内筒１２内に挿入され、シリンダー錠１０の解錠コードに対応する形状（図示例は内溝キーを示すので溝形状となっている。）を有するコード部Ｄと、このコード部Ｄの基部側に設けられた運用キー識別部Ｎとを有する。運用キー識別部Ｎは、コード部Ｄ側（すなわち軸線方向奥側）に配置された軸線方向係合部位Ｎ１と、この軸線方向係合部Ｎ１に対しコード部Ｄとは反対側（軸線方向前側）に隣接配置された回動方向係合部位Ｎ２とを備えている。軸線方向係合部位Ｎ１はキー断面の長手方向（図示上下方向）両端が突出した形状を有し、回動方向係合部位Ｎ２は軸線方向係合部位Ｎ１よりキー断面の長手方向に見て短く、当該長手方向両端が凹状に構成されている。
【００３７】
図８に示すように、変換キーＣＫは、内筒１２内に挿入され、シリンダー錠１０の解錠コードに対応する形状（溝形状）を有するコード部Ｄと、このコード部Ｄの基部側に設けられた変換キー識別部Ｃとを有する。変換キー識別部Ｃは、コード部Ｄ側に配置された軸線方向係合部位Ｃ１と、この軸線方向係合部位Ｃ１に対しコード部Ｄとは反対側に隣接配置された回動方向係合部位Ｃ２とを備えている。軸線方向係合部位Ｃ１はキー断面の長手方向両端が突出した形状を有し、回動方向係合部位Ｃ２は軸線方向係合部位Ｃ１よりキー断面の長手方向に見て短く、当該長手方向両端が凹状に形成されている。
【００３８】
ここで、上記運用キーＮＫでは、運用キー識別部Ｎの断面が図７に示すように矩形状に構成され、より具体的にはキー断面の長手方向に同じ厚みを有する延長された形状を備えている。一方、変換キーＣＫでは、変換キー識別部Ｃの断面が図８に示すようにキー断面の長手方向の両端部が互いに厚み方向反対側に偏在した状態で上記長手方向に突出した形状を備えている。すなわち、キー断面の長手方向の一方の端部が中央部に対し厚み方向の一側に偏在して該中央部より薄く形成され、他方の端部は前記中央部に対し厚み方向の反対側に偏在して前記中央部より薄く形成されている。
【００３９】
そして、運用キーＮＫ及び変換キーＣＫは、シリンダー錠１０に上記正規挿入状態になるように挿入したときに、上記運用キー識別部Ｎ及び変換キー識別部Ｃのうち、軸線方向係合部位Ｎ１、Ｃ１が外筒１１の前面開口部１１ａよりも軸線方向に見て奥側（後方）に配置され、回動方向係合部位Ｎ２、Ｃ２が前面開口部１１ａと軸線方向に見て重なる位置に配置されるように構成される。
【００４０】
なお、以下の説明において用いる図６（ａ）及び（ｂ）においては、施錠位置ＰＡにおけるキー断面を実線で、コード変換位置ＰＢにおけるキー断面を一点鎖線で、施錠位置ＰＣにおけるキー断面を二点鎖線で示してある。また、キー断面のうちハッチングされた部分はコード変換位置ＰＢにおける回動方向係合部Ｎ２、Ｃ２の断面形状を示している。
【００４１】
上記の正規挿入状態においては、図６（ａ）及び（ｂ）に実線で示すように、運用キー識別部Ｎ及び変換キー識別部Ｃの断面形状の端部は施錠位置ＰＡにおいて施錠位置開口縁部１１Ａによって構成される開口範囲内に収まるように構成される。すなわち、キー断面の長手方向の端部の幅が施錠位置開口縁部１１Ａの開口幅以下で、同端部の半径方向の外縁が施錠位置開口縁部１１Ａの端縁より半径方向内側に位置する。これにより、運用キー識別部Ｎ及び変換キー識別部Ｃは施錠位置ＰＡにおいて前面開口部１１ａの開口縁形状には軸線方向に干渉されないように構成され、それによりキーの抜き差しが可能になるように構成される。
【００４２】
また、図６（ａ）に一点鎖線で示すように、運用キー識別部Ｎは、軸線方向係合部位Ｎ１のキー断面の長手方向両端部の厚み範囲が変換位置開口縁部１１Ｂの開口幅に収まらず、変換位置開口縁部１１Ｂが軸線方向に干渉することで前面開口部１１ａを通過することができず、これによりコード変換位置ＰＢでは運用キーＮＫの抜き差しができない。一方、図６（ｂ）に一点鎖線で示すように、変換キー識別部Ｃは、軸線方向係合部位Ｃ１のキー断面の長手方向両端部の厚み範囲が変換位置開口縁１１Ｂの開口幅内に収まるので軸線方向に前面開口部１１ａを通過することができ、それによりコード変換位置ＰＢでは変換キーＣＫの抜き差しができるように構成される。
【００４３】
ここで、軸線方向係合部位Ｃ１のキー断面の長手方向両端部は上述のように長手方向中央部の厚み中心より厚み方向に偏在しており、これに対応して変換位置開口縁部１１Ｂの開口範囲もコード変換位置ＰＢの角度軸に対して回動方向に偏在し、両者の偏在範囲が整合するように構成される。変換位置開口縁部１１Ｂの開口範囲の回転方向の偏在は、上記運用キー識別部Ｎの軸線方向係合部位Ｎ１の厚み範囲の片側と干渉することで上述のように運用キーＮＫの抜き差しを防止している。
【００４４】
なお、本実施形態の上記構成とは異なり、運用キーＮＫの挿入時における軸線方向係合部位Ｎ１の半径方向の端部の外縁位置が変換位置開口縁部１１Ｂの半径方向外側の縁部位置（開口径）より半径方向外側となるように構成することで、運用キーＮＫのコード変換位置ＰＢにおける抜き差しを防止するようにしても構わない。
【００４５】
さらに、図６（ａ）及び（ｂ）に示すように、運用キー識別部Ｎ及び変換キー識別部Ｃの回動方向係合部位Ｎ２、Ｃ２は、その半径方向外側の外縁が第１回動縁部１１Ｃの内縁より半径方向内側に位置することで、第１回動縁部１１Ｃに干渉されないように構成され、これにより運用キーＮＫ及び変換キーＣＫが施錠位置ＰＡからコード変換位置ＰＢまで回動可能とされる。
【００４６】
また、図６（ａ）に一点鎖線でハッチングした領域として示すように、運用キー識別部Ｎの回動方向係合部位Ｎ２は、その半径方向外側の外縁が第２回動縁部１１Ｄの内縁より半径方向内側に位置することで、正規挿入状態において第２回動縁部１１Ｄに干渉されないように構成され、これにより運用キーＮＫを解錠位置ＰＣまで回動させることができるが、図６（ｂ）に一点鎖線でハッチングした領域として示すように、変換キー識別部Ｃは、回動方向係合部Ｃ２の半径方向外側の外縁が第２回動縁部１１Ｄの内縁より半径方向外側に位置することで、解錠位置ＰＣの側から第２回動縁部１１Ｄに干渉される構造となっているため、それにより変換キーＣＫはコード変換位置ＰＢを越えて回動させることができないように規制される。
【００４７】
次に、図９乃至図１２を参照して、本実施形態のタンブラー１６の構造及び動作について説明する。図９（ａ）はタンブラー１６の正面図及び横断面図、図９（ｂ）はタンブラー１６を構成する第１タンブラー片１６Ａの正面図及び横断面図、図９（ｃ）はタンブラー１６を構成する第２タンブラー片１６Ｂの正面図及び横断面図である。図９に示すように、タンブラー１６は、共に板状に構成された第１タンブラー片１６Ａと第２タンブラー片１６Ｂとが軸線周りに互いに回動可能となるように軸線方向に嵌合して構成される。
【００４８】
第１タンブラー片１６Ａは、中央に内筒のキー挿入孔１２ａに対応するキー係合孔１６ａ１を有し、このキー係合孔１６ａ１の縁部には必要に応じて（図示例では内溝キーのコード部に対応するための）係合突起１６ａ２がキー係合孔１６ａ１内に突出するように設けられる。また、第１タンブラー片１６Ａのキー係合孔１６ａ１の周囲には、環状のガイド縁１６ａ３が半径方向外側に向いた段差状に構成され、さらに、外周部には上記タンブラー孔１２ｂ内の段差部１２ｂ１、１２ｂ２（図１０参照）に当接し、当該段差部に沿ってタンブラー１６をスライド移動させるための直線状の外側縁１６ａ４、１６ａ５が設けられる。
【００４９】
一方、第２タンブラー片１６Ｂの外周部には凹円弧状の係合縁を備えた開閉用凹部１６ｂ１と、同様の凹円弧状の係合縁を備えた複数のコード変換用凹部１６ｂ２、１６ｂ３、１６ｂ４とが形成される。ここで、開閉用凹部１６ｂ１とコード変換用凹部１６ｂ２、１６ｂ３、１６ｂ４は第２タンブラー片１６Ｂの互いに対向する両外側部にそれぞれ形成される。コード変換用凹部１６ｂ２、１６ｂ３、１６ｂ４は一方の外側縁に沿って隣接して形成され、これらの複数の凹部のうち中央のコード変換用凹部１６ｂ３が開閉用凹部１６ｂ１のちょうど反対側（１８０度回転した位置）に形成される。
【００５０】
また、第２タンブラー片１６Ｂの中央には、第１タンブラー片１６Ａの上記ガイド縁１６ａ３に半径方向外側から嵌合する開口縁を備えた円形の中央孔１６ｂ５が形成される。第２タンブラー片１６Ｂは、その中央孔１６ｂ５が第１タンブラー片１６Ａのガイド縁１６ａ３に嵌合することで、第１タンブラー片１６Ａに対して同軸に回転自在に取り付けられる。したがって、タンブラー孔１２ｂ内において外側縁１６Ａ４、１６Ａ５が後述する段差部１２ｂ１、１２ｂ２に案内されることで第１タンブラー片１６Ａが一定の姿勢を保ったままスライド移動するのに対して、第２タンブラー片１６Ｂは第１タンブラー片１６Ａとともにスライド移動しつつ、その姿勢を任意に変えることができる。
【００５１】
図１０（ａ）は解錠コードに合致するコード部Ｄを備えた運用キーＮＫ及び変換キーＣＫ（以下、単に正規のキーという。）を挿入して正規挿入状態としたときのタンブラー１６の配置領域の断面構造を示す断面図、図１０（ｂ）は解錠コードに合致しないコード部を備えた異形キーＧＫを挿入したときの同部分の断面図である。
【００５２】
内筒１２のタンブラー孔１２ｂの内部には上記のタンブラー１６が収容され、タンブラー孔１２ｂ内には、タンブラー孔１２ｂが内筒１２を貫通する方向に沿って直線状に形成された段差部１２ｂ１、１２ｂ２が形成され、この段差部１２ｂ１、１２ｂ２に沿ってタンブラー１６は直線状にスライド移動可能に保持される。また、タンブラー孔１２ｂを外部に連通させるスリット１２ｄ、１２ｅ内には、それぞれ開閉用サイドバー１３及びコード変換用サイドバー１４がそれぞれ半径方向内外に移動可能に配置され、これらのサイドバー１３，１４はそれぞれ前述のばね１５（図示せず）によって常に半径方向外側に付勢されている。ここで、開閉用サイドバー１３とコード変換用サイドバー１４は互いにタンブラー１６の反対側の外側部にそれぞれ対向配置される。
【００５３】
開閉用サイドバー１３の内縁には断面凸円弧状の係合縁を備えた内端部１３ａが設けられ、この内端部１３ａはタンブラー１６の開閉用凹部１６ｂ１に嵌合可能に構成される。一方、コード変換用サイドバー１４の内縁にも断面凸円弧状の係合縁を備えた内端部１４ａが設けられ、この内端部１４ａはタンブラー１６の複数のコード変換用凹部１６ｂ２、１６ｂ３、１６ｂ４のいずれにも嵌合可能に構成される。
【００５４】
一方、外筒１１の内周面には軸線方向に伸びるサイドバー溝１１ｄ、１１ｅが設けられ、サイドバー溝１１ｄは、内筒１２が施錠位置ＰＡにあるときにスリット１２ｄと対向し、開閉用サイドバー１３の外縁に設けられ上記内端部１３ａとは反対側に突出する外端部１３ｂと嵌合する。また、サイドバー溝１１ｅは、内筒１２がコード変換位置ＰＢにあるときにスリット１２ｅと対向し、コード変換用サイドバー１４の外縁に設けられ上記内端部１４ａとは反対側に突出する外端部１４ｂと嵌合する。
【００５５】
図１０（ａ）及び（ｂ）に示すように、施錠位置ＰＡにおいては、開閉用サイドバー１３の外端部１３ｂがサイドバー溝１１ｄに嵌合することで内端部１３ａが開閉用凹部１６ｂ１から外れるので、タンブラー１６の第２タンブラー片１６Ｂはコード変換用凹部１６ｂ３とコード変換用サイドバー１４の内端部１４ａとの嵌合状態が維持されたまま第１タンブラー片１６Ａに対し回動可能に構成される。
【００５６】
そして、図１０（ａ）に示すように正規のキーＮＫが正規挿入状態にあるときには、コード部Ｄが第１タンブラー片１６Ａのキー係合孔１６Ａ１に係合して第２タンブラー片１６Ｂの開閉用凹部１６ｂ１がスリット１２ｄに対向し、開閉用サイドバー１３が半径方向内側に移動可能な状態となるので、サイドバー溝１１ｅから開閉用サイドバー１３が脱出可能とされ、これによって内筒１２が回動可能になる。
【００５７】
一方、図１０（ｂ）に示すようにシリンダー錠１０の解錠コードに合致しないキーＧＫが正規挿入状態とされ、当該キーの上記タンブラー１６に対応するコード部が正規のキーのコード部Ｄと異なる断面形状を有する場合には、当該断面形状がキー係合孔１６ａ１に係合して第１タンブラー片１６Ａをスライド移動させるため、第２タンブラー片１６Ｂが回動して開閉用凹部１６ｂ１がスリット１２ｄの対向位置より外れるので、開閉用サイドバー１３は第２タンブラー片１６Ｂの外縁に遮られて半径方向内側に移動不能な状態とされ、サイドバー溝１１ｄより脱出不能となるため、これによって内筒１２は回動不能になる。
【００５８】
次に、シリンダー錠１０のコード変換機構の動作について説明する。図１１（ａ）は、正規の変換キーＣＫが正規挿入状態にあるときに内筒１２が施錠位置ＰＡとコード変換位置ＰＢとの間の位置にあるときの断面構造を示す断面図、図１１（ｂ）はコード変換位置ＰＢにあるときの断面図である。前述のように施錠位置ＰＡにおいて正規の変換キーＣＫが挿入されると内筒１２は回動可能となるので、図１１（ａ）に示すように内筒１２はコード変換位置ＰＢに向けて回動し、その途中では開閉用サイドバー１３及びコード変換用サイドバー１４は共に第２タンブラー片１６Ｂの開閉用凹部１６ｂ１及びコード変換用凹部１６ｂ３に嵌合した状態とされる。
【００５９】
そして、ここからさらに内筒１２を回動させてコード変換位置ＰＢに達すると、図１１（ｂ）に示すようにスリット１２ｅがサイドバー溝１１ｅに対向するので、ばね１５（図示せず）によりコード変換用サイドバー１４の外端部１４ｂがサイドバー溝１１ｅに嵌合して、コード変換用サイドバー１４の内端部１４ａが第２タンブラー片１６Ｂのコード変換用凹部１６ｂ３から離脱する。
【００６０】
この状態では、タンブラー１６の第２タンブラー片１６Ｂは開閉用凹部１６ｂ１と開閉用サイドバー１３の内端部１３ａの嵌合状態を維持しつつ回動可能となるので、全てのタンブラー１６のキー係合部１６ａ１が移動可能とされることで、変換キーＣＫを抜き去ることが可能になる。
【００６１】
そして、図１２（ａ）に示すように別のコード部を有する新たな変換キーＨＫを挿入すると、第１タンブラー片１６Ａがスライド移動し、例えば別のコード変換用凹部１６ｂ４がスリット１２ｅと対向する。そして、そのまま新たな変換キーＨＫでコード変換位置ＰＢより施錠位置ＰＡに向けて回動させると、コード変換用サイドバー１４の外端部１４ｂがサイドバー溝１１ｅより脱出して、第２タンブラー片１６Ｂのコード変換用凹部１６ｂ４にコード変換用サイドバー１４の内端部１４ａが嵌合する。この状態で施錠位置ＰＡまで戻ると、図１２（ｂ）に示すように、開閉用サイドバー１３の外端部１３ｂがサイドバー溝１１ｄに嵌合し、開閉用サイドバー１３の内端部１３ａが第２タンブラー１６Ｂの開閉用凹部１６ｂ１から離脱する。このようにして、シリンダー錠１０の解錠コードは新たな変換キーＨＫのコード部に対応したものに変換される。
【００６２】
次に、図１３及び図１４を参照して、本実施形態のキー確認機構の構造及び動作について説明する。図１３（ａ）及び（ｂ）は施錠位置ＰＡにおける確認タンブラー孔１２ｃの配置領域の断面図、図１４（ａ）及び（ｂ）はコード変換位置ＰＢにおける確認タンブラー孔１２ｃの配置領域の断面図である。
【００６３】
確認タンブラー孔１２ｃ内には確認タンブラー１７がスライド移動可能に配置され、これによって確認タンブラー１７の一方の端部に突設された係合突起１７ｂが内筒１２の外周面より出没可能に構成される。確認タンブラー１７にはキー挿入孔１２ａに対応する位置にキー係合孔１７ａ１が設けられ、このキー係合孔１７ａ１の内縁部には必要に応じて内溝キーに対応する係合突起１７ａ２が設けられる。
【００６４】
確認タンブラー孔１２ｃの内部には確認タンブラー１７を出没方向に案内する側面部から段差状に形成された横断面円形のばね収容部１２ｄが設けられ、確認タンブラー１７の側部外周側に設けられたばね受け部１７ｃがばね収容部１２ｄ内に張り出し、このばね受け部１７ｃとばね収容部１２ｄの段差面との間にばね１８が圧縮状態で格納される。ばね１８は確認タンブラー１７を常に半径方向外側（上記係合突起１７ｂが内筒１２から突出する側）に付勢する。
【００６５】
外筒１１の内周面には、施錠位置ＰＡにおいて係合突起１７ｂを収容可能な係合凹部１１ｇと、コード変換位置ＰＢにおいて係合突起１７ｂを収容可能な係合凹部１１ｈとが設けられる。キーが挿入されていない状態では、図１３（ａ）に示すように、施錠状態ＰＡにおいて確認タンブラー１７はばね１８に付勢されて係合突起１７ｂが係合凹部１１ｇに嵌合した状態とされ、内筒１２は回動不能とされる。
【００６６】
一方、この施錠位置ＰＡにおいて正規のキーＮＫが挿入されると、図１３（ｂ）に示すように確認タンブラー１７のキー係合孔１７ａ１とキー断面との係合によって確認タンブラー１７はばね１８の付勢力に抗して移動し、係合突起１７ｂが係合凹部１１ｇより退避するので、内筒１２は回動可能になる。
【００６７】
また、コード変換位置ＰＢでは、図１４（ａ）に示すように、確認タンブラー１７の係合突起１７ｂは係合凹部１１ｈに対向配置され、ここで、正規のキーを抜き取ると、図１４（ｂ）に示すように確認タンブラー１７はキー断面より解放されてばね１８の付勢により移動し、係合突起１７ｂが係合凹部１１ｈに嵌合する。したがって、キーが抜き取られた状態では内筒１２は回動不能とされる。
【００６８】
上記の確認タンブラー１７はタンブラー１６の配列部のさらに奥側に配置されるので、キーが完全に挿入された正規挿入状態にあれば内筒１２の回動を許容するが、キーが挿入されていない状態、及び、キーが不完全に挿入された状態では、内筒１２の回動を禁止する。これによって、不完全な挿入状態でコードが変換されてしまい、これによって新たな運用キーや変換キーが使用不能となることを防止できる。
【００６９】
すなわち、上記の確認タンブラー１７は、複数のタンブラー孔の最奥部に形成された確認タンブラ孔１２ｃ内において動作するので、キーが完全に奥まで挿入されたか否か（正規挿入状態にあるか否か）を確認し、正規挿入状態であれば内筒１２の回動を許容し、キーが途中までしか挿入されていないなど正規挿入状態になければ内筒１２の回転を規制することで、キーの不完全挿入状態で解錠されてしまうことを防止することはもちろんのこと、不完全挿入状態に対応する不良のコード配列によりシリンダー錠１０の解錠コードが設定されてしまうことを防止している。
【００７０】
以上説明した本実施形態は以下のように動作する。まず、シリンダー錠１０の解錠コードと合致した正規のコード部Ｄを有する運用キーＮＫを施錠位置ＰＡで正規挿入状態にすると、タンブラー１６及び確認タンブラー１７が共に動作して内筒１２が回動可能となり、内筒１２を回動させると運用キー識別部Ｎは何ら干渉されずにコード変換位置ＰＢを通過して解錠位置ＰＣまで回動する。内筒１２を解錠位置ＰＣまで回動させると停止ピン１１ｆが内筒１２の凹溝１２ｆの端部に到達して内筒１２のそれ以上の回動が規制される。このように運用キーＮＫでは施錠位置ＰＡと解錠位置ＰＣの間を何らの障害もなく回動するように構成されるので、通常の施錠・解錠の操作は全く支障なく行われる。
【００７１】
ところが、コード変換位置ＰＢにおいては、運用キー識別部Ｎの軸線方向係合部位Ｎ１が前面開口部１１ａの開口縁より軸線方向奥側に配置された状態で、変換位置開口縁部１１Ｂと軸線方向に干渉する構成となっているので、運用キーＮＫはコード変換位置ＰＢにおいて抜き取ることができず、したがって、運用キーＮＫを用いた場合にはコード変換の操作を行うことができない。
【００７２】
また、運用キー識別部Ｎの軸線方向係合部位Ｎ１は、開口縁の奥側に配置された状態で、施錠位置ＰＡとコード変換位置ＰＢの間に対応する第１回動縁部１１Ｃと、コード変換位置ＰＢと解錠位置ＰＣの間に対応する第２回動縁部１１Ｄとに対していずれも運用キー識別部Ｎが軸線方向に干渉するように構成されるので、結局、施錠位置ＰＡと解錠位置ＰＣとの間の位置ではいずれも運用キーＮＫを抜き取ることができないことになる。なお、本実施形態では、上記構成に加えて、解錠位置ＰＣそのものにおいても運用キーＮＫを抜き取ることができない構成とされていて、その結果、解錠状態で運用キーＮＫを紛失してしまうことを防止でき、あるいは、運用キーＮＫを取っ手代わりに利用することができるなどの付随した効果を得ることができる。ただし、本実施形態とは異なり、解錠位置ＰＣで運用キーＮＫを抜き取り可能とすれば、家屋やアパートのドアなどの汎用のキーシステムを構成できる。
【００７３】
一方、上記と同様のコード部Ｄを有する正規の変換キーＣＫを施錠位置ＰＡで正規挿入状態にすると、上記と同様に内筒１２は回動可能となり、内筒１２を回動させると変換キー識別部Ｃは何ら干渉されずにコード変換位置ＰＢまで到達する。しかし、コード変換位置ＰＢに到達すると、変換キー識別部Ｃの回動方向係合部位Ｃ２が第２回動縁部１１Ｄにより解錠位置ＰＣの側から回動方向に干渉を受けるので、変換キーＣＫをそれ以上回動させることはできなくなり、したがって、変換キーＣＫはコード変換位置ＰＢで位置決めされる。そして、このコード変換位置ＰＢでは、変換キー識別部Ｃの軸線方向係合部位Ｃ１が変換位置開口縁部１１Ｂにより軸線方向に干渉を受けないので、変換キーＣＫはコード変換位置ＰＢにおいて抜き取ることができる。
【００７４】
ここで、元の変換キーＣＫを抜き取った後、変換キー識別部Ｃが元の変換キーＣＫと同様に構成されているもののコード部が異なる新たな変換キーを挿入すると、タンブラー１６が新たな変換キーの異なるコードに合致した異なる解錠コードに対応する姿勢に変換される。そして、そのまま内筒１２を逆に回動させると、上述のように上記異なる解錠コードが維持されたままタンブラー１６の姿勢が保持され、やがて施錠位置ＰＡに戻ると当該新たな変換キーを抜き取ることができる。
【００７５】
なお、上記のコード変換位置ＰＢにおいては、変換キーＣＫを抜き取った後、運用キーＮＫを挿入することはできない。これは、運用キーＮＫの運用キー識別部Ｎの軸線方向係合部位Ｎ１が変換位置開口縁部１１Ｂに干渉するからである。また、変換キーＣＫが施錠位置ＰＡとコード変換位置ＰＢの間で抜き差しできない点は運用キーＮＫと同様である。
【００７６】
また、上記の施錠位置ＰＡ及びコード変換位置ＰＢにおいては、確認タンブラー１７に対応する正規のキーが完全に挿入されない限り、確認タンブラー１７の外筒１１に対する係合により内筒１２の回動が規制されるので、意図せずに、或いは、キーの不完全挿入状態において、内筒１２が回動方向に位置ずれを起こすといったことが防止される。
【００７７】
本実施形態では、運用キー識別部Ｎ及び変換キー識別部Ｃの構成と、外筒１１の前面開口部１１ａの開口縁形状との関係により、運用キーＮＫによるコード変換の防止機能と、変換キーＣＫのコード変換位置ＰＢにおける位置決め機能とを共に実現することができるため、誤操作を防止できるとともに利用者によるコード変換位置への位置合わせを容易化できるなど、コード変換時の操作性を向上させることができる。
【００７８】
また、運用キー識別部Ｎ及び変換キー識別部Ｃはそれぞれ前面開口部１１ａの開口縁に対する軸線方向及び回動方向の規制構造を備えているので、各識別部の構造が複雑化していることから、外部より見たときに容易に前面開口部の構成を読み取られることがなくなるとともに、キーの改造作業も困難になることから、不正な解錠やコード変換を回避できる効果を有し、これによって安全性を担保することが可能になる。
【００７９】
特に、各識別部Ｎ、Ｃには軸線方向係合部位Ｎ１、Ｃ１と回動方向係合部位Ｎ２、Ｃ２とが別々に設けられ、正規挿入状態において各係合部位が前面開口部１１ａの開口縁に対して軸線方向の奥側にある位置と軸線方向に見て重なる位置とにそれぞれ配置されるように構成されることで、相互に独立して前面開口部の開口縁に対する干渉の有無を設定できることから、各部分の作動状態を確実に実現できる。また、軸線方向係合部位Ｎ１、Ｃ１が前面開口部１１ａの開口縁の奥側に位置するように形成されることで、前面開口部１１ａの開口形状を厚み方向に変える必要がなくなるので、前面開口部１１ａを簡易に構成可能となる。
【００８０】
本実施形態では、上述のように運用キー識別部Ｎと変換位置開口縁部１１Ｂとが軸線方向に干渉する構造とされ、運用キーＮＫをコード変換位置ＰＢにおいて抜き差しできないように構成されるが、これは、コード変換位置ＰＢに設けられた変換位置開口縁部１１Ｂの開口幅が狭く、軸線方向係合部位Ｎ１が通過できないように構成されているからである。しかし、本実施形態では、単に開口幅を狭くしたのではなく、回動方向に偏在した開口範囲とすることで、本来的に回動方向に離間した位置にある施錠位置開口縁部１１Ａとの対比が困難になるとともに、運用キー識別部Ｎの形状との関係も識別しにくくなるため、変換位置開口縁部１１Ｂによる運用キーＮの抜き差しの規制構造を読み取られる恐れが低減される。また、この場合に運用キー識別部Ｎの改造についても側面を修正する必要があるため、半径方向の端部を削る場合よりも困難になる。したがって、不正なコード変換に対する安全性をさらに高めることができる。
【００８１】
尚、本発明のコード可変型シリンダー錠及びコード変換キーシステムは、上述の図示例にのみ限定されるものではなく、本発明の要旨を逸脱しない範囲内において種々変更を加え得ることは勿論である。例えば、上記実施形態ではタンブラー１６として板タンブラーを用いた可変コード型シリンダー錠を例示したが、本発明はピンタンブラーを用いる可変コード型シリンダー錠にも適用できる。また、上記実施形態ではキースイッチとして用いることができる構成について説明したが、単なる開閉錠として用いることができる構成としてもよい。
【図面の簡単な説明】
【００８２】
【図１】コード変換キーシステムの実施形態のシリンダー錠の概略構成を示す分解図。
【図２】実施形態の運用キー及びシリンダー錠の側面図。
【図３】実施形態のシリンダー錠の主要部の外観及び断面図。
【図４】実施形態のシリンダー錠の正面図。
【図５】実施形態の内筒の施錠位置における正面図（ａ）、コード変換位置における正面図（ｂ）及び解錠位置における正面図（ｃ）。
【図６】実施形態のシリンダー錠に運用キーを適用した様子を示す説明用正面図（ａ）及び変換キーを適用した様子を示す説明用正面図（ｂ）。
【図７】運用キーの側面図及び部分端面図。
【図８】変換キーの側面図及び部分断面図。
【図９】タンブラーの正面図及び横断面図（ａ）、第１タンブラー片の正面図及び横断面図（ｂ）及び第２タンブラー片の正面図及び横断面図（ｃ）。
【図１０】施錠位置におけるタンブラーの動作を示す正規キー挿入時の断面図（ａ）及び異形キー挿入時の断面図（ｂ）。
【図１１】コード変換操作時における回動開始後初期段階の断面図（ａ）及びコード変換位置に到達した時点の断面図（ｂ）。
【図１２】コード変換操作時における新たなキー挿入時の断面図（ａ）及び施錠位置に復帰した時点の断面図（ｂ）。
【図１３】施錠位置における確認タンブラーの動作を説明するためのキー挿入前の断面図（ａ）及びキー挿入後の断面図（ｂ）。
【図１４】コード変換位置における確認タンブラーの動作を説明するためのキー挿入状態の断面図（ａ）及びキー抜き取り後の断面図（ｂ）。
【符号の説明】
【００８３】
１０…シリンダー錠、１１…外筒、１１ａ…前面開口部、１１ｂ…内部、１１ｄ、１１ｅ…サイドバー溝、１２…内筒、１２ａ…キー挿入孔、１２ｂ…タンブラー孔、１２ｃ…確認タンブラー孔、１２ｄ，１２ｅ…スリット、１３…開閉用サイドバー、１４…コード変換用サイドバー、１５…ばね、１６…タンブラー、１６Ａ…第１タンブラー片、１６Ｂ…第２タンブラー片、１７…確認タンブラー、１８…ばね、１９…スイッチモジュール
【図１】
2009299269.tif 000003
【図２】
2009299269.tif 000004
【図３】
2009299269.tif 000005
【図４】
2009299269.tif 000006
【図５】
2009299269.tif 000007
【図６】
2009299269.tif 000008
【図７】
2009299269.tif 000009
【図８】
2009299269.tif 000010
【図９】
2009299269.tif 000011
【図１０】
2009299269.tif 000012
【図１１】
2009299269.tif 000013
【図１２】
2009299269.tif 000014
【図１３】
2009299269.tif 000015
【図１４】
2009299269.tif 000016